(57)【特許請求の範囲】
【請求項１】
約物テーブルにより、約物文字を定義した約物テーブル機構と、
文字解析部により、入力された見出し文から約物の有無を検出する文字解析機構と、
字詰め部により、前記文字解析機構から前記約物テーブルに登録してある約物文字を検出したときにピッチ詰めを行う字詰め機構と、
を備え、
前記文字解析機構は、更に見出し文に付加された属性情報の中から割り見出し指定あるいは斜め指定の有無を検出し、
割り見出し指定を検出したときは、文字サイズ倍数設定部により、見出し基本サイズの１／２倍の文字サイズとし、斜め指定を検出したときは、指定された文字数に応じた文字サイズとする文字サイズ倍数設定機構を備えたことを特徴とする新聞制作システムの見出し組処理装置。
【発明の詳細な説明】
【０００１】
【産業上の利用分野】
本発明は、新聞制作工程でコンピュータ化が進んでいなかった整理部門のＯＡ化推進に寄与する整理記者向けの編集ワークステーションの機能として実現される新聞制作システムの見出し組処理装置に関する。
組版端末装置として知られた編集ワークステーションでは、処理機能を自動化することで操作を容易にし、利用者である整理記者ひとりによる大組，小組作成を実現しているが、更なる作業性の簡易化と効率化が求められている。
【０００２】
【従来の技術】
従来の組版端末装置の操作には、多種多様な機能コマンドの選択による専門的技術を必要としている。このため専任のオペレータと大組／小組を考える整理記者がマンツーマンとなって、大組／小組の作成作業を行っている。
このような大組／小組作業の１つである見出し組は、新聞の見出しを作成する作業であり、同様に、専任のオペレータと見出し組を考える整理記者がマンツーマンとなって作成作業を行っている。
【０００３】
【発明が解決しようとする課題】
しかしながら、このような見出し組の作成作業において、整理記者は自らのノウハウで新聞に固有の見出しに関する字詰めおよび文字サイズ変更の処理を行っているが、その入力／変更は専任オペレータの力を借りないとできない。特に、新聞見出しには、新聞固有の字詰めおよび文字サイズ変更に関する約束ごとがあり、通常、この約束ごとに従い、字詰め／文字サイズ変更処理を行わなければならない。更に、整理記者の行うべき仕事は多岐に亘っており、見出し組に割く時間には制限がある。
【０００４】
本発明は、このような従来の問題点に鑑みてなさたれもので、平文の見出し文を入力するだけで固有のルールの従った見出し文字の字詰め処理と文字倍数の変更を自動的に行って操作を容易にし作業効率を高める新聞制作システムの見出し組処理装置を提供することを目的とする。
【０００５】
【課題を解決するための手段】
図１は本発明の原理説明図である。ここで「機構」とは、１つの機能単位を表わしている。
本発明の新聞制作システムの見出し組処理装置は、入力された見出し文を解析する文字解析機構３４と、文字解析結果から予め定められた新聞固有のルールに従って対象文字を抽出して字詰めする字詰め機構３８と、見出し文入力の際に付加された属性情報に基づき、予め定められた新聞固有のルールに従って対象文字の倍数を設定する文字倍数設定機構４０とで構成される。
【０００６】
ここで、字詰め機構３８は、見出し文が縦見出しで且つ洋数字が２つ以上連続して検出した場合、連続した洋数字に対して左詰め処理を行う。即ち、洋数字の２字連続を検出したら２分詰めを行い、３字以上の連続を検出したら３分詰めを行う。
また字詰め機構は、文字解析結果から予め約物テーブルに登録された所定の約物文字『、』『「』『」』を検出した場合、ピッチ詰め処理を行う。
【０００７】
自動文字倍数設定機構４０は、付加属性として「割見出し」または「斜め詰め」が指定された文字列に対して、その文字サイズを予め定められたルールに従って変更する。例えば、割見出し指定があった場合、見出し文基本サイズの１／２倍の文字サイズに変更し、斜め詰め指定があった場合は、２文字なら見出し基本サイズの１／２倍の文字サイズに変更し、３文字以上なら見出し文基本サイズの１／３倍の文字サイズに変更する。
【０００８】
【作用】
このような本発明の新聞制作システムの見出し組処理装置によれば、入力された見出し文や文字ごとの属性（割見出しや斜め詰めなど）を解析し、これが新聞見出しに固有の約束ごとに当てはまる場合、字詰め処理や文字倍数の変更を、組版端末装置内で自動的に行うことができる。
【０００９】
このため整理記者の負担が大幅に軽減される。即ち、字詰めや文字サイズ変更の一般的なオペレーションをほとんど排除できるので、見出し組の約束ごとを意識することなく、素早く容易に見出し組を作成することが可能となる。
【００１０】
【実施例】
図２は本発明の見出し組の作成作業が行われる新聞制作システムの概略である。ホストシステム１２は組版処理部１４を備えており、組版処理部１４に対しては、ワークステーションを用いた組版端末装置１０が接続されている。また、組版処理部１４に対しては組版ファイル１６および見出しパターン・ファイル１８が接続される。組版端末装置１０には、本発明の見出し組処理装置としての機能が組み込まれている。
【００１１】
一般的な見出し組の作成作業は、準備作業として、標準的な見出し組の体裁をもった見出しパターンをホストシステム１２の見出しパターン・ファイル１８に登録しておく。組版端末装置１０で見出し組を作成する場合は、見出しパターン・ファイル１８の中から適当なパターンを指示し、見出し文字を入力することによって見出し組を自動的に作成することができる。作成された見出し組は組版ファイル１６に格納される。
【００１２】
図３は、標準縦見出しの一例である。縦見出しは、柱見出し、肩見出し、主見出し、中見出し、ワキ見出しの順番に並ぶ。また、頭となるかぶせ見出しや尻となる尻かぶせ見出しを付けることもある。
図４は標準的な横見出しである。横見出しは、１または複数段の主見出しと、左側の頭かぶせ見出しおよび右側の尻かぶせ見出しの組合せをもつ。
【００１３】
図５は、図２の組版端末装置１０における作業画面の一例である。作業画面２０の上部にはインデックス領域２２が設けられ、版名、見出しサイズを示す段数と行数などが示される。作業画面２０の右側の半分を越える領域は見出し組領域２４であり、作成された見出し組が表示される。作業画面２０の左側には、入力見出し文領域２６、コマンド領域２８、見出し情報領域３０が設けられている。
【００１４】
入力見出し文領域２６には、見出し組に使用する平文の見出し文が表示される。コマンド領域２８は、見出し組の作成作業に投入する各種のコマンドが表示されている。更に、見出し情報領域３０には見出し組に関する各種の情報が表示され、オペレータはこの情報を指定することができ、更にこの中には、本発明にあっては見出し組の属性情報としての割見出しの指定情報と斜め詰めの指定情報が含まれている。
【００１５】
図６は、組版端末装置１０の機能として実現される本発明の実施例である。見出し文入力機構３２は、整理記者が考えた記事の見出し文を文字情報として文字解析機構３４に入力する。同時に、見出し文の中の割見出しの文字列の指定情報および斜め詰めの文字列の指定情報を属性情報として自動文字倍数設定機構４０に出力する。
【００１６】
文字解析機構３４は、入力した見出し文を解析する。また、文字解析機構３４に対しては約物テーブル３６が設けられており、予め決められた約物が文字列に含まれるか否か解析される。約物としては例えば『、』『「』『」』などがある。
自動字詰め機構３８は、見出し組が縦見出しであった場合に文字解析機構３４の解析結果から連続する洋数字を検出し、連続する洋数字について左詰め処理を自動的に行う。具体的には、洋数字が２文字連続した場合には、左詰めで２分詰めを行う。洋数字が３字以上連続した場合には、左詰めで３分詰めを行う。更に、自動字詰め機構３８は、文字解析結果から約物を検出した場合には、約物文字に対しピッチ詰め処理を自動的に行う。
【００１７】
自動文字倍数設定機構４０は、見出し文入力機構で指定された属性情報、即ち割見出し指定または斜め詰め指定の文字列に対し、この対象文字列のサイズを自動的に変更する。即ち、割見出し指定があったときには、見出し文基本サイズの１／２倍の文字サイズに変更する。また、斜め詰め指定があったときには、２文字ならば見出し文基本サイズの１／２倍の文字サイズに変更する。３文字以上ならば見出し文基本サイズの１／３倍の文字サイズに変更する。自動字詰め機構３８および自動文字倍数設定機構４０による処理結果は、ホストシステム１２側に伝送される。
【００１８】
図７は、図６の本発明の実施例の処理機能である。見出し文入力４２が文字解析機構３４に対し行われると、文字解析と同時に約物テーブル３６の参照による約物文字の解析が行われる。この文字解析機構３４による解析結果から２桁連続数字４６、３桁以上連続数字４８、約物５０などの解析結果が得られる。これらの解析結果は自動字詰め機構３８に与えられる。
【００１９】
２桁連続数字４６は、左詰め／２分詰め処理６０が行われる。３桁以上連続数字４８は、左詰め／３分詰め処理６２が行われる。約物５０は、ピッチ詰め処理６４が行われる。一方、見出し文入力４２に伴う属性付加４４の指定は、割見出し指定５２または斜め詰め指定５４であり、それぞれ自動文字倍数設定機構４０に与えられる。
【００２０】
割見出し指定５２については、元の文字サイズの１／２倍の設定処理６６が行われる。また、斜め詰め指定５４については、文字倍数設定処理６８に示すように、文字数が２文字のときは元の文字サイズの１／２倍、文字数が３以上のときは元の文字サイズの１／３倍に変更される。
図８（Ａ）は入力見出し文の一例であり、平文で『１００けこさ「し」』となっており、洋数字の３文字連続『１００』と斜線部の『斜め詰め指定』７０、更に約物として『「』と、『」』を含んでいる。この図８（Ａ）の見出し文を処理すると、まず先頭の洋数字の３文字連続『１００』については、自動字詰め機構３８による左詰め３分詰め処理６２が行われ、図８（Ｂ）の縦見出しの先頭に示すように組まれる。
【００２１】
次の斜め詰め指定の『けこ』については、自動倍数設定機構４０により図８  （Ｂ）の１／２倍サイズ処理６６に示すように、倍数設定による斜め詰めが行われる。更に、約物については、図８（Ｂ）のピッチ詰め処理６４−１，６４−２に示すように、基本文字の半分へのピッチ詰めが行われる。
図９（Ａ）は、他の見出し文であり、『あいうえおかき１０く』となっている。このうち、先頭の６文字について『割見出し指定』７２が行われている。また、後半に洋数字の２文字連続『１０』が含まれている。この図９（Ａ）に示す見出し文を入力すると、図９（Ｂ）に示す見出し組が自動的に作成される。まず、割見出し指定された文字列については、この場合は文字数が３以上であることから、自動文字倍数設定機構４０により図９（Ｂ）の先頭の１／２倍サイズ処理６８に示すように、元の文字サイズの１／２倍となる割見出しが作成される。また後半の洋数字『１０』については、自動字詰め機構３８によって左詰め２分詰め処理６０が行われる。
【００２２】
このように図８および図９に示すように、自動的に作成された見出し組は予め決められた新聞のルールに従った正しい見出し組としての体裁を整えており、オペレータはその結果を確認するだけで済む。
図１０は本発明による見出し組処理の全体的な流れである。まずステップＳ１で、見出し文および付加属性を入力する。続いてステップＳ２で、入力した見出し文の文字解析処理を行う。続いてステップＳ３で、縦見出し連続数字の左詰め処理を行う。ステップＳ４では、約物の半角字詰め処理を行う。更にステップＳ５で、割見出し／斜め詰めの指定に対し、文字サイズ変更処理を行う。
【００２３】
図１１のフローチャートは、図１０のステップＳ３の縦見出しにおける連続数字左詰め処理の詳細をサブルーチンで表わしている。連続数字左詰め処理は、まずステップＳ１で見出し文が縦見出しであることを判別すると、ステップＳ２で文字解析結果を参照し、ステップＳ３で、洋数字が２文字以上連続か否かチェックする。
【００２４】
２文字以上連続であれば、ステップＳ４で、３字以上か否かチェックする。２文字であった場合には、ステップＳ５で左詰め２分詰め処理を行う。３字以上であった場合は、ステップＳ６で左詰め３分詰め処理を行う。
図１２は、図１０のステップＳ４の約物の半角字詰め処理をサブルーチンで表わす。約物の半角字詰め処理は、ステップＳ１で見出し文の文字解析結果を参照し、ステップＳ２で約物を検出すると、ステップＳ３で半角ピッチ詰め処理を行う。
【００２５】
図１３のフローチャートは、図１０のステップＳ５の割見出し／斜め詰め時の文字サイズ変更処理の詳細をサブルーチンで表わす。文字サイズ変更処理は、まずステップＳ１で、属性情報から割見出しの指定ありを判別すると、ステップＳ２で、基本サイズの１／２倍の文字サイズに変更する。続いてステップＳ３で、斜め詰め指定を判別すると、ステップＳ４で２文字か否かチェックする。
【００２６】
２文字であれば、ステップＳ５で、基本サイズの１／２倍の文字サイズに変更する。３字以上であれば、ステップＳ６で、基本サイズの１／３倍の文字サイズに変更する。
尚、上記の実施例は、ホストシステム１２に対し設けられる組版端末装置１０に組物処理装置としての機能を設けた場合を例にとっているが、図１のホストシステム１２の組版処理部１４にその機能を設け、組版端末装置１０は単なる入出力機構として機能させるようにしてもよい。
【００２７】
また上記の見出し組の字詰めと文字サイズ変更に関するルールは、一例を示したにすぎず、新聞に応じて固有の字詰めおよび文字サイズ変更に関するルールが設定できることは勿論である。
【００２８】
【発明の効果】
以上説明してきたように本発明によれば、整理記者などのオペレータは、作成した見出し文の入力と割見出しや斜め詰めなどの属性指定を行うだけで、新聞見出し固有の約束事に従った字詰めおよび文字倍数の変更が自動的に行われて見出し組が作成され、見出し組作成に関する約束事を意識することなく見出し組の結果を得ることができる。
【００２９】
このため、整理記者が行うコマンド投入などのオペレーション数が低減し、整理記者一人による大組／小組作成において、見出し組の作成に労力を払うことなく、見出し文そのものをどうするか考えることに十分な時間をとることができる。
【図面の簡単な説明】
【図１】本発明の原理説明図
【図２】新聞制作システムの概略図
【図３】標準縦見出しの説明図
【図４】標準横見出しの説明図
【図５】見出し組作業画面の説明図
【図６】本発明の実施例を示した機能ブロック図
【図７】本発明の処理機能の説明図
【図８】入力見出し文と自動作成された見出し組の説明図
【図９】入力見出し文と自動作成された見出し組の他の例の説明図
【図１０】本発明の見出し組の自動処理のフローチャート
【図１１】縦見出し連続数字の左詰め処理のフローチャート
【図１２】約物の半角字詰め処理のフローチャート
【図１３】割見出し／斜め詰め時の文字サイズ変更処理のフローチャート
【符号の説明】
１０：組版端末装置（ワークステーション）
１２：ホストシステム
１４：組版処理部
１６：組版ファイル
１８：見出しパターン・ファイル
２０：作業画面
２２：インデックス領域（タイトル領域）
２４：見出し組領域
２６：入力見出し文領域
２８：コマンド領域
３０：見出し情報領域
３２：見出し文入力機構
３４：文字解析機構
３６：約物テーブル
３８：自動字詰め機構
４０：自動文字倍数設定機構
７０：斜め詰め指定
７２：割見出し指定
【図１】
0003730267.tif 000002
【図２】
0003730267.tif 000003
【図３】
0003730267.tif 000004
【図４】
0003730267.tif 000005
【図５】
0003730267.tif 000006
【図６】
0003730267.tif 000007
【図７】
0003730267.tif 000008
【図８】
0003730267.tif 000009
【図９】
0003730267.tif 000010
【図１０】
0003730267.tif 000011
【図１１】
0003730267.tif 000012
【図１２】
0003730267.tif 000013
【図１３】
0003730267.tif 000014